(57)【要約】【課題】空調ケースの車両前後方向及び上下方向寸法の短縮化を図る。【解決手段】蒸発器１２からの冷風をヒータコア１３をバイパスさせる第１、第２冷風バイパス通路１５、１６が形成され、第１冷風バイパス通路１５からの冷風とヒータコア１３からの温風とを前席用エアミックスチャンバ部１７で混合して車室内前席側に吹き出すとともに、第２冷風バイパス通路１６からの冷風とヒータコア１３からの温風とを第２エアミックスチャンバ部１８で混合して車室内後席側に吹き出す車両用空調装置において、ヒータコア１３は、空気流入出面が車両上下方向に延びるように配置され、第２冷風バイパス通路１６は、蒸発器１２の空気流出面の一部から後席用エアミックスチャンバ部１８までを連通するトンネル状の通路で構成され、第１、第２冷風バイパス通路１５、１６は、共にヒータコア１３の上方側領域若しくは下方側領域の一方側に形成されている。【選択図】図１
2009202687.tif 000002
【特許請求の範囲】
【請求項１】
車室内に向かって空気が流れる空気通路を形成する空調ケース（１１）と、
前記空調ケース（１１）内に設けられ、空気を冷却する冷却用熱交換器（１２）と、
前記空調ケース（１１）内に設けられ、前記冷却用熱交換器（１２）で冷却された空気を加熱する加熱用熱交換器（１３）と、
前記冷却用熱交換器（１２）からの冷風を前記加熱用熱交換器（１３）をバイパスさせる第１、第２冷風バイパス通路（１５、１６）と、
前記空調ケース（１１）内に形成され、前記第１冷風バイパス通路（１５）からの冷風と前記加熱用熱交換器（１３）からの温風とを混合する第１エアミックスチャンバ部（１７）と、
前記空調ケース（１１）内に設けられ、前記第１エアミックスチャンバ部（１７）で混合される前記第１冷風バイパス通路（１５）を通過する冷風と前記加熱用熱交換器（１３）を通過する温風との風量割合を調整する第１エアミックス手段（１９）と、
前記空調ケース（１１）内において前記加熱用熱交換器（１３）の空気流れ下流側に形成され、前記第２冷風バイパス通路（１６）からの冷風と前記加熱用熱交換器（１３）からの温風とを混合する第２エアミックスチャンバ部（１８）と、
前記空調ケース（１１）内に設けられ、前記第２エアミックスチャンバ部（１８）で混合される前記第２冷風バイパス通路（１６）からの冷風と前記加熱用熱交換器（１３）からの温風との風量割合を調整する第２エアミックス手段（２３）と、
前記第１エアミックスチャンバ部（１７）で混合された空調風を車室内前席側に向けて吹き出す前席用吹出開口部（２６、２８、３０）と、
前記第２エアミックスチャンバ部（１８）で混合された空調風を車室内後席側に向けて吹き出す後席用吹出開口部（３２、３３）とを備える車両用空調装置において、
前記加熱用熱交換器（１３）は、空気流入面及び空気流出面が車両上下方向に延びるように配置され、
前記第２冷風バイパス通路（１６）は、前記冷却用熱交換器（１２）の空気流出面の一部から冷風を導入するための冷風導入口（１６ａ）と、前記冷風導入口（１６ａ）から導入された冷風を前記第２エアミックスチャンバ部（１８）に導出する冷風導出口（１６ｂ）とを有するトンネル状の通路で構成され、
前記第１、第２冷風バイパス通路（１５、１６）は、共に前記加熱用熱交換器（１３）の上方側領域若しくは下方側領域の一方側に形成されていることを特徴とする車両用空調装置。
【請求項２】
前記後席用吹出開口部（３２、３３）は、後席側乗員の上半身に向けて吹き出す後席用フェイス開口部（３２）と、後席側乗員の足元付近に向けて吹き出す後席用フット開口部（３３）を有しており、
前記後席用フェイス開口部（３２）は、前記後席用フット開口部（３３）よりも前記第２冷風バイパス通路（１６）の冷風導出口（１６ｂ）に近い側に開口していることを特徴とする請求項１に記載の車両用空調装置。
【請求項３】
前記空調ケース（１１）には、前記暖房用熱交換器（１３）の空気流れ下流側領域および前記第１冷風バイパス通路（１５）内を車両幅方向の左側領域と右側領域とに仕切る仕切り部材（４０）が設けられ、
前記第１、第２エアミックチャンバ部（１７、１８）は、前記仕切り部材（４０）により仕切られた左側領域と右側領域のそれぞれに形成され、
前記第１、第２エアミックス手段（１９、２３）は、前記第１、第２エアミックスチャンバ部（１７、１８）の左側領域および右側領域で混合される冷風と温風との風量割合を、それぞれを独立して調整可能に構成され、
前記前席用吹出開口部（２６、２８、３０）は、前記第１エアミックスチャンバ部（１７）の左側領域および右側領域で混合された空調風を車室内左側領域と車室内右側領域にそれぞれ吹き出すように構成され、
前記後席用吹出開口部（３２、３３）は、前記第２エアミックスチャンバ部（１８）の左側領域および右側領域で混合された空調風を車室内左側領域と車室内右側領域にそれぞれ吹き出すように構成されており、
前記仕切り部材（４０）は、前記第２冷風バイパス通路（１６）を含んで構成されていることを特徴とする請求項１または２に記載の車両用空調装置。
【請求項４】
前記第１、第２冷風バイパス通路（１５、１６）は、互いに近接して形成され、
前記第２冷風バイパス通路（１６）は、通路断面が扁平形状に形成され、通路断面の長手方向の両端部が、先端部に向かって徐々に通路断面積が小さくなるように形成されていることを特徴とする請求項１ないし３のいずれか１つに記載の車両用空調装置。
【発明の詳細な説明】
【技術分野】
【０００１】
本発明は、冷風と温風との風量割合および混合分布を調整して車室内吹出温度を調整するエアミックス方式の車両用空調装置に関する。
【背景技術】
【０００２】
従来、車室内の異なる複数の領域、具体的には、車室内の前席側領域と後席側領域に対して１つの空調ユニットにより空調を行う車両用空調装置は種々提案されている（例えば、特許文献１参照）。
【０００３】
この特許文献１では、空調ユニットの空気通路を構成する空調ケース内側に配置された冷却用熱交換器の下流側の空気通路を車両上方の前席用通路と車両下方の後席用通路とに分割し、分割された各通路にわたって加熱用熱交換器を配置し、加熱用熱交換器の上方に前席用冷風バイパス通路を形成し、下方に後席用冷風バイパス通路を形成している。そして、前席用通路に前席用のエアミックスドア、後席用通路に後席用のエアミックスドアをそれぞれ設置し、各エアミックスドアを独立に操作することにより、前席用通路及び後席用通路において冷温風の風量割合をそれぞれ調整して、車室内の前席側および後席側への吹出空気温度を独立して制御している。
【特許文献１】特開平１１−２３５９１４号公報
【発明の開示】
【発明が解決しようとする課題】
【０００４】
ところで、空調ユニットの空調ケースは、一般的に車室内前部の計器盤の下方部に設置されており、特許文献１の空調ケースのように、加熱用熱交換器を挟んで車両上下方向の上方に前席用冷風バイパス通路が形成され、下方に後席用冷風バイパス通路が形成されている場合には、空調ユニットの体格が車両上下方向に長くなる。また、後席用冷風バイパス通路を冷却用熱交換器の空気流れ下流側から加熱用熱交換器下方に向かって延びるように設けており、車両前後方向における冷却用熱交換器と加熱用熱交換器との間に後席用冷風バイパス通路の空気流入口のスペースが必要となるため、空調ユニットの体格が車両前後方向に長くなる。そのため、空調ユニットが、計器盤の下方部の車両前後方向及び上下方向寸法を充分に確保できない場合には搭載できないといった問題があった。
【０００５】
また、後席用冷風バイパス通路を加熱用熱交換器の下方に形成しているため、後席側のエアミックスドアの空気流れ下流側（エアミックスチャンバ部）では、上方に温風、下方に冷風が流れやすい構成となっている。そのため、例えば、後席用吹出開口部の構成が、車両上下方向の上側が後席側フェイス開口部、下側が後席用フット開口部となるような構成であると、フェイス開口部とフット開口部の両方か空気を吹き出すバイレベルモード時等に、フェイス側に温風、フット側に冷風が流れやすくなるため、乗員が快適と感じる頭寒足熱形の車室内温度分布にするための温度制御が困難となっていた。
【０００６】
本発明は、上記点に鑑み、車室内の複数領域に対して１つの空調ユニットにより空調を行う車両用空調装置において、空調ユニットにおける空調ケースの車両前後方向及び上下方向寸法の短縮化を図ることを第１の目的とする。また、後席側領域の車室内温度分布の改善を図ることを第２の目的とする。
【課題を解決するための手段】
【０００７】
上記目的を達成するため、請求項１に記載の発明では、車室内に向かって空気が流れる空気通路を形成する空調ケース（１１）と、空調ケース（１１）内に設けられ、空気を冷却する冷却用熱交換器（１２）と、空調ケース（１１）内に設けられ、冷却用熱交換器（１２）で冷却された空気を加熱する加熱用熱交換器（１３）と、冷却用熱交換器（１２）からの冷風を加熱用熱交換器（１３）をバイパスさせる第１、第２冷風バイパス通路（１５、１６）と、空調ケース（１１）内に形成され、第１冷風バイパス通路（１５）からの冷風と加熱用熱交換器（１３）からの温風とを混合する第１エアミックスチャンバ部（１７）と、空調ケース（１１）内に設けられ、第１エアミックスチャンバ部（１７）で混合される第１冷風バイパス通路（１５）を通過する冷風と加熱用熱交換器（１３）を通過する温風との風量割合を調整する第１エアミックス手段（１９）と、空調ケース（１１）内において加熱用熱交換器（１３）の空気流れ下流側に形成され、第２冷風バイパス通路（１６）からの冷風と加熱用熱交換器（１３）からの温風とを混合する第２エアミックスチャンバ部（１８）と、空調ケース（１１）内に設けられ、第２エアミックスチャンバ部（１８）で混合される第２冷風バイパス通路（１６）からの冷風と加熱用熱交換器（１３）からの温風との風量割合を調整する第２エアミックス手段（２３）と、第１エアミックスチャンバ部（１７）で混合された空調風を車室内前席側に向けて吹き出す前席用吹出開口部（２６、２８、３０）と、第２エアミックスチャンバ部（１８）で混合された空調風を車室内後席側に向けて吹き出す後席用吹出開口部（３２、３３）とを備える車両用空調装置において、加熱用熱交換器（１３）は、空気流入面及び空気流出面が車両上下方向に延びるように配置され、第２冷風バイパス通路（１６）は、冷却用熱交換器（１２）の空気流出面の一部から冷風を導入するための冷風導入口（１６ａ）と、冷風導入口（１６ａ）から導入された冷風を第２エアミックスチャンバ部（１８）に導出する冷風導出口（１６ｂ）とを有するトンネル状の通路で構成され、第１、第２冷風バイパス通路（１５、１６）は、共に加熱用熱交換器（１３）の上方側領域若しくは下方側領域の一方側に形成されていることを特徴としている。
【０００８】
このように、第２冷風バイパス通路（１６）をトンネル状の通路として、第１冷風バイパス通路（１５）と第２冷風バイパス通路（１６）を共に、車両上下方向における加熱用熱交換器（１３）の上方領域若しくは下方領域に形成することで、第１、第２冷風バイパス通路（１５、１６）を加熱用熱交換器（１３）の上下方向に分割して形成する場合に比べて、空調ケース（１１）の上下方向の寸法を短縮することができる。
【０００９】
また、冷却用熱交換器（１２）と加熱用熱交換器（１３）との間に第２冷風バイパス通路（１６）の空気流入口のスペースを確保する必要がないため、空調ケース（１１）の車両前後方向の寸法を短縮することができる。
【００１０】
その結果、空調ユニット（１０）における空調ケース（１１）の車両前後方向及び上下方向寸法の短縮化を図ることができる。ここで、「車両上下方向」には、水平方向に対して垂直な方向だけでなく、水平方向に対して傾斜した方向を含んでいる。
【００１１】
また、請求項２に記載の発明では、請求項１に記載の発明において、後席用吹出開口部（３２、３３）は、後席側乗員の上半身に向けて吹き出す後席用フェイス開口部（３２）と、後席側乗員の足元付近に向けて吹き出す後席用フット開口部（３３）を有しており、後席用フェイス開口部（３２）は、後席用フット開口部（３３）よりも第２冷風バイパス通路（１６）の冷風導出口（１６ｂ）に近い側に開口していることを特徴としている。
【００１２】
このように、後席用フェイス開口部（３２）を第２冷風バイパス通路（１６）の冷風導出口（１６ｂ）側に開口させることで、バイレベルモード時等に後席用フェイス開口部（３２）側に冷風、後席用フット開口部（３３）側に温風が流れやすくなるため、後席側領域における頭寒足熱形の車室内温度分布とすることができる。したがって、後席側領域の車室内温度分布の改善を図ることができる。
【００１３】
また、請求項３に記載の発明では、請求項１または２に記載の発明において、空調ケース（１１）には、暖房用熱交換器（１３）の空気流れ下流側領域および第１冷風バイパス通路（１５）内を車両幅方向の左側領域と右側領域とに仕切る仕切り部材（４０）が設けられ、第１、第２エアミックチャンバ部（１７、１８）は、仕切り部材（４０）により仕切られた左側領域と右側領域のそれぞれに形成され、第１、第２エアミックス手段（１９、２３）は、第１、第２エアミックスチャンバ部（１７、１８）の左側領域および右側領域で混合される冷風と温風との風量割合を、それぞれを独立して調整可能に構成され、前席用吹出開口部（２６、２８、３０）は、第１エアミックスチャンバ部（１７）の左側領域および右側領域で混合された空調風を車室内左側領域と車室内右側領域にそれぞれ吹き出すように構成され、後席用吹出開口部（３２、３３）は、第２エアミックスチャンバ部（１８）の左側領域および右側領域で混合された空調風を車室内左側領域と車室内右側領域にそれぞれ吹き出すように構成されており、仕切り部材（４０）は、第２冷風バイパス通路（１６）を含んで構成されていることを特徴としている。
【００１４】
このように、車両幅方向の車室内左側領域と車室内右側領域を独立して空調することができる車両用空調装置において、空調ケース（１１）内を左側領域と右側領域とに仕切る仕切り部材（４０）の一部を前記第２冷風バイパス通路（１６）で構成して共通化することで、空調ケース（１１）の体格の小型化や空調ユニット（１０）の部品点数の増加を抑制することができる。
【００１５】
また、請求項４に記載の発明では、請求項１ないし３のいずれか１つに記載の発明において、第１、第２冷風バイパス通路（１５、１６）は、互いに近接して形成され、第２冷風バイパス通路（１６）は、通路断面が扁平形状に形成され、通路断面の長手方向の両端部が、先端部に向かって徐々に通路断面積が小さくなるように形成されていることを特徴としている。
【００１６】
これにより、第２冷風バイパス通路（１６）が、第１冷風バイパス通路（１５）を流れる冷風や加熱用熱交換器（１３）を通過した温風の通風抵抗となるのを抑制することができる。
【００１７】
なお、上記各手段の括弧内の符号は、後述する実施形態に記載の具体的手段との対応関係を示すものである。
【発明を実施するための最良の形態】
【００１８】
（第１実施形態）
以下、本発明の第１実施形態について図１〜図３に基づいて説明する。ここで、図１は本実施形態における空調ユニット内部の概略図、図２は図１におけるＸ−Ｘ断面図、図３は、本実施形態における車両用空調装置の作動を説明する作動説明図を示している。
【００１９】
本実施形態による車両用空調装置の室内ユニット部は、大別して、図１に示す空調ユニット１０と、この空調ユニット１０に空気を送風する送風機ユニット（図示せず）との２つの部分に分かれている。
【００２０】
送風機ユニットは車室内前部の計器盤（図示せず）内側のうち、中央部から助手席側へオフセットして配置されており、これに対し、空調ユニット１０は車室内前部の計器盤（図示せず）内側のうち、車両左右（幅）方向の略中央部に配置されている。
【００２１】
送風機ユニットは周知のごとく外気（車室外空気）と内気（車室内空気）を切替導入する内外気切替箱と、この内外気切替箱を通して吸入した空気を送風する遠心式の送風機とを有している。
【００２２】
空調ユニット１０は車室内へ向かって送風される空気通路を構成する樹脂製の空調ケース１１を有し、この空調ケース１１内に冷却用熱交換器をなす蒸発器１２と加熱用熱交換器をなすヒータコア１３を両方とも一体的に内蔵している。空調ユニット１０は、計器盤内側の略中央部にて、車両の前後方向および上下方向に対して、図１の矢印で示す搭載方向で配置されている。
【００２３】
空調ケース１１内の、最も車両前方側の部位には空気入口空間１４が形成されている。この空気入口空間１４には送風機ユニットの遠心式送風機の送風空気が流入する。空調ケース１１内において空気入口空間１４直後の部位に蒸発器１２が配置されている。
【００２４】
この蒸発器１２は周知のごとく冷凍サイクルの低圧冷媒の蒸発潜熱を送風空気から吸熱して送風空気を冷却するものである。
【００２５】
そして、蒸発器１２の空気流れ下流側（車両後方側）に、蒸発器１２から所定の間隔を開けてヒータコア１３が配置されている。ヒータコア１３は、蒸発器１２を通過した冷風を再加熱するものであって、その内部に、図示しない車両エンジンから高温の温水（エンジン冷却水）が流れ、この温水を熱源として空気を加熱するものである。
【００２６】
ヒータコア１３は周知のごとく温水が通過する偏平チューブとこれに接合されたコルゲートフィンとからなる熱交換用コア部を有している。この熱交換用コア部の下部に温水が流入する入口タンクが配置され、熱交換用コア部の上部に温水を流出させる出口タンクが配置されている。
【００２７】
ここで、蒸発器１２は、空調ケース１１内において、蒸発器１２は、上方側部位が車両前方側に傾斜するように配置されており、空気が車両後方へ向かって流れるように配置されている。
【００２８】
これに対し、ヒータコア１３は、空気流入面及び空気流出面が車両上下方向に延びるように配置されており、蒸発器１２の車両後方側において空気が車両後方側へ向かって流れるように配置されている。なお、図１において、ヒータコア１３の空気流入面及び空気流出面が水平方向に対して垂直な方向に延びるように配置しているが、水平方向に対して傾斜した方向に延びるように配置してもよい。
【００２９】
そして、ヒータコア１３は、空調ケース１１の通風路内の下方部のみを横切るように配置され、ヒータコア１３の上方には、ヒータコア１３をバイパスして空気（冷風）が流れる第１、第２冷風バイパス通路１５、１６がそれぞれ形成されている。
【００３０】
本実施形態では、第１、第２冷風バイパス通路１５、１６は、互いに近接するように形成されている。なお、第２冷風バイパス通路１６とヒータコア１３を近接するように形成しているが、第２冷風バイパス通路１６とヒータコア１３は、互いに離間して形成してもよい。
【００３１】
第1冷風バイパス通路１５は、ヒータコア１３の空気流れ下流側であって、空調ケース１１内の上方に形成される前席用エアミックスチャンバ部（第１エアミックスチャンバ部）１７と連通するように形成されている。
【００３２】
前席用エアミックスチャンバ部１７は、第１冷風バイパス通路１５を通過した冷風とヒータコア１３を通過した温風とを混合する冷風と温風の混合領域である。前席用エアミックスチャンバ部１７で混合された空調風は、後述する前席用吹出開口部２６、２８、３０に流れる。
【００３３】
一方、第２冷風バイパス通路１６（図１中網掛け部位）は、第１冷風バイパス通路１５の一部を左側領域と右側領域に分割するように、空調ケース１１における車両幅方向（紙面垂直方向）の中央位置に形成されている。そして、第２冷風バイパス通路１６は、蒸発器１２の空気流出面の上方部からヒータコア１３の空気流れ下流側であって空調ケース１１の下方に形成される後席用エアミックスチャンバ部（第２エアミックスチャンバ部）１８と連通するように形成されている。
【００３４】
具体的に、第２冷風バイパス通路１６は、くの字状に曲折しており、蒸発器１２の空気流出面の上方部から車両後方側に向かって延びるとともに、空調ケース１１におけるヒータコア１３の空気流れ下流側に形成された後面部に沿って下方に延びるトンネル状の通路で構成されている。
【００３５】
そして、第２冷風バイパス通路１６は、蒸発器１２の空気流出面の上方部位に対して冷風を導入するように開口した冷風導入口１６ａと、後席用エアミックスチャンバ部１８に対して冷風を導出するように開口した冷風導出口１６ｂとを有して構成されている。
【００３６】
図２に示すように、第２冷風バイパス通路１６の通路断面は、縦長の扁平形状に形成されている。また、第２冷風バイパス通路１６は、通路断面の長手方向の上端部１６ｃおよび下端部１６ｄの通路断面積が、中央部に対して徐々に小さくなるようにテーパ形状に形成されている。これは、第２冷風バイパス通路１６が、第１冷風バイパス通路１５を流れる冷風やヒータコア１３を通過した温風の通風抵抗となるのを抑制するためである。
【００３７】
詳しくは、ヒータコア１３を通過した温風を、第２冷風バイパス通路１６の下端部１６ｄ付近で流れ方向を急激に変化させずに分流させるためである。また、第１冷風バイパス通路１５の一部に形成される右側領域と左側領域を通過した冷風若しくはヒータコア１３を通過した温風を、第２冷風バイパス通路１６の上端部１６ｃ付近で流れ方向を急激に変化させずに合流させるためである。
【００３８】
図１に戻り、後席用エアミックスチャンバ部１８は、第２冷風バイパス通路１６を通過した冷風とヒータコア１３を通過した温風とを混合する冷風と温風の混合領域である。後席用エアミックスチャンバ部１８で混合された空調風は、後述する後席用吹出開口部３２、３３に流れる。
【００３９】
空調ケース１１内の蒸発器１２とヒータコア１３の間には、前席用エアミックスチャンバ部１７で混合される冷風と温風の風量割合を調整するための前席用エアミックスドア（第１エアミックスドア）１９が設けられており、後述する前席用吹出開口部２６、２８、３０に流れる空調風の温度調整がなされる。
【００４０】
この前席用エアミックスドア１９は、空調ケース１１に対して回転自在に支持された駆動軸２０および従動軸２１に両端が固定および巻回されているフィルム状の膜状部材２２からなる周知のフィルムドアにより構成されている。
【００４１】
フィルム状の膜状部材２２は、駆動軸２０と従動軸２１によって、ヒータコア１３の空気流入面の空気流れ上流側および第１冷風バイパス通路１５とをそれぞれ横切るようにして一定の張力が付与された状態で車両上下方向に摺動可能に設けられている。ここで、駆動軸２０は、ステップモータ等の駆動手段（図示せず）によって駆動され、この駆動軸２０の回転は回転伝達機構を介して従動軸２１にも伝達される。
【００４２】
また、膜状部材２２は、複数の開口部（図示せず）が形成されており、駆動軸２０を正逆両方向に回転させて上記開口部を任意の位置で停止させることで、第1冷風バイパス通路１５に流入する空気とヒータコア１３に流入する空気の風量割合が調整される。
【００４３】
また、本実施形態では、第２冷風バイパス通路１６が、空調ケース１１における車両左右方向の中央位置に、蒸発器１２の空気流出面の上方部から車両後方側に向かって延びるように形成されているため、膜状部材２２の車両左右方向の中央部には、第２バイパス通路１６との干渉避けるための穴部（図示せず）が形成されている。
【００４４】
また、空調ケース１１内のヒータコア１３の空気流れ下流側であって、車両上下方向の下方側には、後席用エアミックスチャンバ部１８で混合される冷風と温風の風量割合を調整するための後席用エアミックスドア（第２エアミックスドア）２３が設けられており、後述する後席用吹出開口部３２、３３に流れる空調風の温度調整がなされる。
【００４５】
後席用エアミックスドア２３は、回転軸２４を中心として回転可能に支持される平板状の板ドア２５により構成されている。回転軸２４は、サーボモータ等の駆動手段（図示せず）によって駆動される。また、後席用エアミックスドア２３は、第２冷風バイパス通路１６の冷風導出口１６ｂを開閉可能であって、ヒータコア１３からの温風を後席用エアミックスチャンバ部１８に導入、遮断できるように構成されている。
【００４６】
次に、空調ケース１１の通風路の空気流れ下流端には、複数の吹出開口部が形成されており、この複数の吹出開口部の下流側に、さらに、空調風を車室内の所定場所に向けて吹き出すための吹出ダクト（図示せず）が接続される。
【００４７】
この複数の吹出開口部のうち、デフロスタ開口部２６は、空調ケース１１の上面部の車両前方側に設けられ、デフロスタダクト（図示せず）を介して、空調風を車室内フロントガラスに向けて吹き出すためのデフロスタ吹出口（図示せず）に連通している。デフロスタ開口部２６には、回転軸２７ａを中心に回転可能な板状のデフロスタ開閉ドア２７が設けられている。
【００４８】
また、フェイス開口部２８は、空調ケース１１の上面部の車両後方側に設けられている。フェイス開口部２８には、回転軸２９ａを中心に回転可能な板状のフェイス開閉ドア２９が設けられている。フェイス開口部２８は、フェイスダクト（図示せず）を介して空調風を車室内前席側乗員の上半身に向けて吹き出すフェイス吹出部（図示せず）に連通している。
【００４９】
またフット開口部３０は、フェイス開口部２８よりも車両後方側で空調ケース１１の後面部の上方側に設けられており、フットダクト（図示せず）を介して、空調風を車室内前席側乗員の足元部に向けて吹き出すフット吹出口（図示せず）に連通している。フット開口部３０には、それぞれ回転軸３１ａを中心に回転可能な板状のフェイス開閉ドア３１が設けられている。
【００５０】
上記デフロスタ開口部２６、フェイス開口部２８、フット開口部３０は、前席乗員に対して空調風を吹き出すための前席用吹出開口部を構成している。一方、後席用吹出開口部は、後席用フェイス開口部３２および後席用フット開口部３３を有して構成され、それぞれ空調ケース１１の後面部の最下方側に設けられている。
【００５１】
ここで、後席用フェイス開口部３２および後席用フット開口部３３には、それぞれ回転軸３４ａ、３５ａを中心に回転可能な板状の後席用フェイス開閉ドア３４および後席用フット開閉ドア３５が設けられている。
【００５２】
後席用フェイス開口部３２は、後席用フェイスダクト（図示せず）を介して、空調風を後席乗員の上半身に向けて吹き出すための後席フェイス吹出口（図示せず）に連通しており、後席用フット開口部３３は、後席用フットダクト（図示せず）を介して、空調風を後席乗員足元に向けて吹き出すための後席フット吹出口（図示せず）に連通している。
【００５３】
ここで、後席用フェイス開口部３３は、後席用フット開口部３２に対して車両上下方向の上方に形成され、後席用フェイス開口部３２と第２冷風バイパス通路１６の冷風導出口１６ｂが後席用フット開口部３３に比べて近づくように形成されている。
【００５４】
すなわち、後席用フェイス開口部３２には、第２冷風バイパス通路１６を通過した冷風が流入しやすくなるように形成され、また、後席用フット開口部３３には、ヒータコア１３を通過した温風が流入しやすくなるように形成されている。
【００５５】
前席用吹出開口部および後席用吹出開口部の吹出モードドア（各開閉ドア）は、リンク機構（図示せず）を介して共通のアクチュエータのサーボモータの出力軸に連結される。従って、この共通のアクチュエータ機構により吹出モードドアが連動操作されるようになっている。このリンク機構、アクチュエータ等によって吹出モード切替装置が構成され、制御装置（図示せず）により制御される。
【００５６】
次に、上記構成において、本実施形態の作動を説明する。本実施形態では、図３に示すように、吹出モード切替装置により、フェイス開口部２８とフット開口部３０および後席用フェイス開口部３２と後席用フット開口部３３が開口し、前席側および後席側乗員の上半身および足元付近に向けて空調風を吹き出すバイレベルモードに切替えられた場合について説明する。
【００５７】
ここで、前席用エアミックスドア１９は、ヒータコア１３の空気流入面および第１冷風バイパス通路１５を半開状態とし、また、後席用エアミックスドア２３は、第２冷風バイパス通路１６を半開状態としてそれぞれ中間温度位置に設定されている。
【００５８】
吹出モード切替装置によりバイレベルモードに設定された状態で、送風機ユニットおよび冷凍サイクルが運転されると、送風機ユニットからの送風空気が、空調ケース１１の最前部の空気入口空間１４に流入した後、蒸発器１２で冷却されて冷風となる。
【００５９】
そして、蒸発器１２で冷却された冷風は、第１冷風バイパス通路１５を通過する空気、第２冷風バイパス通路１６を通過する空気、およびヒータコア１３に流入する空気に分流される。
【００６０】
第１冷風バイパス通路１５を通過した冷風（図中実線矢印Ａ）とヒータコア１３の上方部を通過した温風（図中実線矢印Ｂ）は、前席用エアミックスチャンバ部１７で混合され、フェイス開口部２８およびフット開口部３０に流れる。
【００６１】
ここで、第１冷風バイパス通路１５を通過した冷風（図中実線矢印Ａ）とヒータコア１３の上方部を通過した温風（図中実線矢印Ｂ）は、それぞれ第２冷風バイパス通路１６により分流・合流することになるが、冷風と温風の空気流れ方向が急に変化しないように第２冷風バイパス通路１６の上端部１６ｃと下端部１６ｄの形状をテーパ形状としているため、第２冷風バイパス通路１６による通風抵抗を抑制することができる。
【００６２】
一方、第２冷風バイパス通路１６を通過した冷風（図中破線矢印Ｃ）とヒータコア１３の下方部を通過した温風（図中破線矢印Ｄ）は、後席用エアミックスチャンバ部１８で混合され、後席用フェイス開口部３２および後席用フット開口部３３に流れる。
【００６３】
ここで、後席用フェイス開口部３２には、第２冷風バイパス通路１６を通過した冷風が流入しやすくなっており、後席用フット開口部３３には、ヒータコア１３を通過した温風が流入しやすくなっている。そのため、バイレベルモードにおいて、後席側領域における頭寒足熱形の車室内温度分布とすることができる。
【００６４】
以上説明したように、本実施形態に記載の車両用空調装置によれば、第２冷風バイパス通路１６をトンネル状の通路として、第１冷風バイパス通路１５と第２冷風バイパス通路１６を共に、車両上下方向におけるヒータコア１３の上方領域若しくは下方領域に形成することで、第１、第２冷風バイパス通路１５、１６をヒータコア１３の上下方向に分割して形成する場合に比べて、空調ケース１１の上下方向の寸法を短縮することができる。
【００６５】
そして、蒸発器１２とヒータコア１３との間に第２冷風バイパス通路１６の空気流入口のスペースを確保する必要がないため、空調ケース１１の車両前後方向の寸法を短縮することができる。
【００６６】
その結果、空調ユニット１０における空調ケース１１の車両前後方向及び上下方向寸法の短縮化を図ることができる。
【００６７】
また、後席用フェイス開口部３２を第２冷風バイパス通路１６の冷風導出口１６ｂ側に開口させることで、バイレベルモード時において、後席側領域における頭寒足熱形の車室内温度分布とすることができる。その結果、後席側領域の車室内温度分布の改善を図ることができる。
【００６８】
また、第２冷風バイパス通路１６の通路断面を、縦長の扁平形状に形成し、通路断面の上端部１６ｃと下端部１６ｄをテーパ形状とすることで、第２冷風バイパス通路１６が、第１冷風バイパス通路１５を流れる冷風やヒータコア１３を通過した温風の通風抵抗となるのを抑制することができる。
【００６９】
（第２実施形態）
次に、本発明の第２実施形態について図４、図５に基づいて説明する。上記第１実施形態と同様または均等な部分について同一の符号を付し、その説明を省略する。ここで、図４は、本実施形態における空調ユニットの概略図、図５は、図４におけるＹ−Ｙ断面図を示している。
【００７０】
本実施形態では、図４に示すように空調ケース１１内部における車両幅方向の中央位置に、蒸発器１２の空気流出面から各開口部まで延びるとともに、車両上下方向に延びる中央仕切り部材（仕切り部材）４０（図４中の網掛け部位）が設けられている。
【００７１】
この中央仕切り部材４０により空調ケース１１内部の蒸発器１２の空気流れ下流は、車両右側領域と車両左側領域とに仕切られている。また、中央仕切り部材４０により仕切られた車両右側領域と車両左側領域には、各領域に第１冷風バイパス通路１５、前席用エアミックスチャンバ部１７、後席用エアミックスチャンバ部１８、前席用エアミックスドア１９、後席用エアミックスドア２３等がそれぞれ独立して設けられている。
【００７２】
例えば、図５に示すように空調ケース１１には、中央仕切り部材４０を境にして、第１冷風バイパス通路１５の車両右側領域１５ａと車両左側領域１５ｂが形成され、ヒータコア１３の車両右側領域１３ａと車両左側領域１３ｂが形成され、前席用エアミックスドア１９が、車両右側ドア１９ａと車両左側ドア１９ｂが設けられている。
【００７３】
また、前席用開口部２８、３０及び後席用開口部３２、３３は、車両右側領域と車両左側領域とに仕切られており、各ダクトを介して車両右側用吹出口と車両左側用吹出口から空調風を吹き出すように構成されている。
【００７４】
車両右側領域と車両左側領域に設けられた前席用エアミックスドア１９、後席用エアミックスドア２３は、それぞれ独立して制御可能に構成されており、車室内の左右の領域に吹き出す空調風の温度をそれぞれ独立に制御できる左右独立温度制御方式になっている。
【００７５】
そして、中央仕切り部材４０は、第２冷風バイパス通路１６を含んで構成されている。つまり、中央仕切り部材４０には、蒸発器１２の空気流出面の上方部から車両後方側に向かって延びるとともに、空調ケース１１におけるヒータコア１３の空気流れ下流側に形成された後面部に沿って下方に延びるトンネル状の通路が形成されている（図４における中央仕切り部材４０内の破線部分）。
【００７６】
このように、車両幅方向の車室内左側領域と車室内右側領域を独立して空調することができる左右独立温度制御方式の車両用空調装置において、空調ケース１１内を車両左側領域と車両右側領域とに仕切る中央仕切り部材４０の一部に第２冷風バイパス通路１６を形成し、中央仕切り部材４０と第２冷風バイパス通路１６を共通化することで、空調ケース１１の体格の小型化や空調ユニット１１の部品点数の増加を抑制することができる。
【００７７】
（第３実施形態）
次に、本発明の第３実施形態について図６に基づいて説明する。上記第１実施形態と同様または均等な部分について同一の符号を付し、その説明を省略する。ここで、図６は、本実施形態における第２冷風バイパス通路の通路断面を含む断面図を示している。
【００７８】
上記第１実施形態では、第２冷風バイパス通路１６の通路断面を、縦長の扁平形状に形成し、通路断面の長手方向の上端部１６ｃおよび下端部１６ｄを、中央部に対して徐々に小さくなるようにテーパ形状に形成している。
【００７９】
本実施形態では、図６に示すように、第２冷風バイパス通路１６の通路断面を、縦長の扁平形状となるように楕円形状に形成し、通路断面の長手方向の上端部１６ｃおよび下端部１６ｄが、中央部に対して徐々に小さくなるようにしている。
【００８０】
これによっても、第２冷風バイパス通路１６が、第１冷風バイパス通路１５を流れる冷風やヒータコア１３を通過した温風の通風抵抗となるのを抑制することができる。
【００８１】
（他の実施形態）
本発明は上述の実施形態に限定されることなく、以下のように種々変形可能である。
【００８２】
（１）上述の実施形態では、第２冷風バイパス通路１６を、第１冷風バイパス通路１５の一部を左側領域と右側領域に分割するように、空調ケース１１における車両幅方向（紙面垂直方向）の中央位置に形成していが、これに限定されるものではない。
【００８３】
例えば、図７に示すように、第２冷風バイパス通路１６を、空調ケース１１の車両幅方向の両側面壁に形成し、第１冷風バイパス通路１５を車両幅方向の中央位置に形成してもよい。また、蒸発器１２の直後及び後席用エアミックスチャンバ部１８における空調ケース１１の車両幅方向の側面壁にそれぞれ開口部を設けて、その開口部間を連通するようにトンネル状の第２冷風バイパス通路１６を配置してもよい。
【００８４】
（２）また、上述の実施形態では、第２冷風バイパス通路１６を、第１冷風バイパス通路１５とともにヒータコア１３の上方側に形成しているが、第２冷風バイパス通路１６及び第１冷風バイパス通路１５をヒータコア１３の下方側に形成してもよい。なお、この場合、ヒータコア１３は、空調ケース１１の通風路内の上方部を横切るように配置されている。
【００８５】
（３）また、上述の実施形態では、前席用エアミックスドア１９をフィルムドアにて構成しているが、これに限定されるものではなく、板ドア等の他のドア手段により構成してもよい。同様に、後席用エアミックスドア２３および吹出モード切替用の開閉ドアを板ドアにて構成師弟入るがこれに限定されるものではなく、フィルムドア等の他のドア手段により構成してもよい。
【図面の簡単な説明】
【００８６】
【図１】第１実施形態に係る空調ユニットの概略図である。
【図２】図１におけるＸ−Ｘ断面図である。
【図３】第１実施形態に係るバイレベルモード時の空調ユニットの概略図である。
【図４】第２実施形態に係る空調ユニットの概略図である。
【図５】図４におけるＹ−Ｙ断面図である。
【図６】第３実施形態に係る第２バイパス通路の通路断面を示す断面図である。
【図７】他の実施形態に係る第２バイパス通路の通路断面を示す断面図である。
【符号の説明】
【００８７】
１１    空調ケース
１２    蒸発器（冷却用熱交換器）
１３    ヒータコア（加熱用熱交換器）
１５    第１冷風バイパス通路
１６    第２冷風バイパス通路
１６ａ  冷風導入口
１６ｂ  冷風導出口
１７    前席用エアミックスチャンバ部（第１エアミックスチャンバ部）
１８    後席用エアミックスチャンバ部（第２エアミックスチャンバ部）
１９    前席用エアミックスドア（第１エアミックス手段）
２３    後席用エアミックスドア（第２エアミックス手段）
【図１】
2009202687.tif 000003
【図２】
2009202687.tif 000004
【図３】
2009202687.tif 000005
【図４】
2009202687.tif 000006
【図５】
2009202687.tif 000007
【図６】
2009202687.tif 000008
【図７】
2009202687.tif 000009